(57)【要約】【課題】窓から建物内に入射する太陽光を安価で簡易な構成により遮光できる窓用遮光装置を提供すること。【解決手段】窓用遮光装置には、窓枠４の上端部の屋外両側部に上フック１０，１０がそれぞれ取り付けられ、遮光スクリーン１８が捲回されたロール１７の両端部が前記一対の上フック１０，１０に回転自在に係止させられていると共に、前記窓枠４の下部又は下端部に前記ロール１７から引き出された遮光スクリーン１８の下端部を係止させる下フック１４，１４が設けられている。【選択図】  図２
2005194848.tif 000002
【特許請求の範囲】
【請求項１】
窓枠の上端部の屋外両側部に上係止部材がそれぞれ取り付けられ、遮光スクリーンが捲
回されたロールの両端部が前記一対の上係止部材に回転自在に係止させられていると共に
、前記窓枠の下部又は下端部に前記ロールから引き出された遮光スクリーンの下端部を係
止させる下係止部材が設けられていることを特徴とする窓用遮光装置。
【請求項２】
前記係止部材は係止孔を有する上フックであり、前記ロールの両端は係止孔に挿入係止
されていることを特徴とする請求項１に記載の窓用遮光装置。
【請求項３】
前記下係止部材は外壁面に対して垂直な面内を上下回動可能に前記窓枠の下端部に取り
付けられ、前記遮光スクリーンは前記下係止部材の自重で張設されることを特徴とする請
求項１又は２に記載の窓用遮光装置。
【発明の詳細な説明】
【技術分野】
【０００１】
この発明は、窓から建物内に入射する太陽光を遮光可能な窓用遮光装置に関するもので
ある。
【背景技術】
【０００２】
従来からエネルギー効率の良い住宅を作るために、外壁に断熱材を用いて建物内外の断
熱を図ったり、太陽電池や風力発電装置を用いて自然エネルギーを利用したりすることに
より、光熱費を少なくする試みがなされている。
【０００３】
また、夏季等においては、空調装置により冷房をしていても、強い太陽光が窓から建物
内に入射すると、太陽光により建物内の温度が上昇するので、冷房のために多くの電力を
消費する。
【０００４】
このため、建物内の温度が太陽光で上昇しないようにするために、窓の外に配設した遮
光装置から遮光スクリーンを引き出して、この引き出した遮光スクリーンで窓の外側を覆
うことにより、太陽光が建物内に入射しないようにして、空調装置の消費電力が多くなら
ないようにしたものが考えられている（例えば、特許文献１，２参照）。
【特許文献１】特開平１１−１９３６８０
【特許文献２】特開平１１−１６６３８０
【発明の開示】
【発明が解決しようとする課題】
【０００５】
しかしながら、従来の遮光装置は、巻取ロールを細長いボックス内に回転自在に収納し
、この巻取ロールに遮光スクリーンを捲回し、収納ボックスから遮光スクリーンを引き出
し可能に設けると共に、巻取ロールをバネ等で軸線回りに回動付勢することにより、引き
出した遮光スクリーンを巻取ロールに自動的に巻き取り可能に設けていた。
【０００６】
このため、従来の遮光装置は高価であると共に、遮光スクリーンの生地に耐久性が求め
られていた。
【０００７】
そこで、この発明は、窓から建物内に入射する太陽光を安価で簡易な構成により遮光で
きる窓用遮光装置を提供することを目的とするものである。
【課題を解決するための手段】
【０００８】
この目的を達成するため、請求項１の発明は、窓枠の上端部の屋外両側部に上係止部材
がそれぞれ取り付けられ、遮光スクリーンが捲回されたロールの両端部が前記一対の上係
止部材に回転自在に係止させられていると共に、前記窓枠の下部又は下端部に前記ロール
から引き出された遮光スクリーンの下端部を係止させる下係止部材が設けられている窓用
遮光装置としたことを特徴とする。
【０００９】
また、請求項２の発明は、請求項１に記載の窓用遮光装置において、前記係止部材は係
止孔を有する上フックであり、前記ロールの両端は係止孔に挿入係止されていることを特
徴とする。
【００１０】
更に、請求項３の発明は、請求項１又は２に記載の窓用遮光装置において、前記下係止
部材は外壁面に対して垂直な面内を上下回動可能に前記窓枠の下端部に取り付けられ、前
記遮光スクリーンは前記下係止部材の自重で張設されることを特徴とする。
【発明の効果】
【００１１】
請求項１の構成によれば、窓から建物内に入射する太陽光を安価で簡易な構成により遮
光できる。
【００１２】
また、請求項２の構成によれば、ロールの係止のための構成が簡単である。
【００１３】
更に、請求項３の構成によれば、遮光スクリーンを張設するための特別の機械的な機構
が必要がないので、遮光スクリーンの張設のための構成が簡単となる。
【発明を実施するための最良の形態】
【００１４】
以下、この発明の実施の形態を図面に基づいて説明する。
【００１５】
図１において、１は建物の外壁、２は建物内の居室等の空間、３は外壁１に形成した開
口、４は一部を屋外に突出させて開口３に取り付けた窓枠（窓サッシュ）、５は窓枠４内
の窓（窓開口）、６は窓５内に取り付けられた窓ガラスである。
【００１６】
窓枠４は、上端部の上フレーム７と、下端部の下フレーム８と、フレーム７，８の両端
間を連設しているサイドフレーム９，９を有する。９ａはサイドフレーム９の外側面であ
る。
【００１７】
この各サイドフレーム９の上端部の外側面９ａ側には上係止部材としての上フック１０
が配設されている。この上フック１０は、幅広の基端部１１ａがサイドフレーム９の外側
面９ａに当接させられた上支持板１１と、この上支持板１１のサイドフレーム９からの突
出部の下面に取り付けられたフック本体１２を有する。
【００１８】
しかも、上支持板１１の幅広の基端部１１ａは固定手段であるビス１１ｂによりサイド
フレーム９の上端部に取り付けられている。また、フック本体１２は、半円形又はＵ字状
に形成されていて、両端部（上端部）が上支持板１１に固定されている。そして、フック
本体１２と支持板１１との間には係止孔１３が形成されている。
【００１９】
また、各サイドフレーム９の下部の外側面９ａ側には下係止部材としての板状の下フッ
ク（下係止アーム）１４の基端部が配設されている。この下フック１４は、外壁１の外壁
面１ａに対して垂直な面内を上下回動するように基端部が支持軸１５を介して上下回動可
能にサイドフレーム９に取り付けられている。しかも、この下フック１４の自由端部には
、水平方向に向けたときに下方を向く係止切欠１４ａが形成されている。
【００２０】
更に、窓５の外側（屋外）には遮光装置１６が配設されている。この遮光装置１６は、
両端に抜け止め用（抜け規制用）のフランジ１７ａ，１７ａが設けられたロール１７と、
このロール１７に異端部が固定され且つロール１７に捲回される遮光スクリーン１８と、
この遮光スクリーン１８の他端部に固定された係止バー１９を有する。
【００２１】
この係止バー１９の両端部には抜け止め用（抜け規制用）のフランジ１９ａ，１９ａが
形成されている。尚、遮光スクリーン１８としては、合成樹脂製の布、太陽光を反射可能
な銀色又は白色で不透明なフィルム、簾（すだれ）等その他の遮光製のシートを用いるこ
とができるが、これに限定されるものではない。遮光スクリーン１８としては、遮光でき
るものであれば何れの材質のシート、フィルム、布であっても良い。また、上フック１０
の係止孔１３はロール１７のフランジ１７ａを挿通可能な大きさに形成されている。
【００２２】
そして、図２では、ロール１７の両端部は、上フック１０，１０の係止孔１３，１３に
挿通されていると共に、フランジ１７ａ，１７ａにより抜け規制されている。しかも、係
止バー１９の両端部は、下フック１４，１４の係止切欠１４ａ，１４ａに係止されている
。
【００２３】
この状態では、遮光スクリーン１８が下フック１４，１４の自重で張設させられた状態
となっていると共に、下フック１４，１４が略水平又は図３（ｄ）に示したように水平よ
り僅かに下方に傾斜した状態となっている。この状態となるように遮光スクリーン１８の
引き出し長さが設定されている。
【００２４】
次に、この様な構成の遮光装置１６の作用を説明する。
【００２５】
通常、遮光装置１６は、上フック１０，１０から取り外して、物置等に収納しておく。
しかも、下フック１４は、遮光装置１６の不使用時に図３（ａ）に示したように自重で下
方を向いていて、サイドフレーム９の外側面９ａに沿わせられている。この状態では、下
フック１４がサイドフレーム９から図３（ａ）の左方に突出していないので、下フック１
４が窓枠４の見栄えを損なうようなことはない。
【００２６】
また、例えば、夏季等において日差しの強い日に、太陽光が窓５から建物の居室等の空
間２内に差し込むような場合、空間２内の温度が上昇して、空調装置等による冷房のため
の電力消費が多くなる。
【００２７】
このような場合には、遮光装置１６のロール１７の両端部を図２の如く上フック１０，
１０の係止孔１３，１３に挿通して、遮光スクリーン１８を図３（ｂ）のようにロール１
７から引き出す。
【００２８】
一方、下フック１４を図３（ｃ）の矢印２０で示したように支持軸１５を中心に上方に
回動させて、下フック１４の係止切欠１４ａに係止させて、下フック１４を自重により図
２，図４（ｄ）の如く下方に回動させる。
【００２９】
この回動により、下フック１４，１４は、自重により図３（ｄ）に示したように水平よ
り僅かに下方に傾斜した状態まで回動して、遮光スクリーン１８を張設する。
【００３０】
これにより、窓（窓開口）５の屋外側が遮光スクリーン１８により覆われて、太陽光が
建物内の空間２に窓５から入射するのを遮光スクリーン１８により遮られるので、太陽光
により空間２内の温度が上昇させられるのを防止できる。
【００３１】
しかも、遮光スクリーン１８を下部に向かうに従って窓（窓開口）５から外側に離れる
ように傾斜させることにより、遮光スクリーン１８と窓５との間の空間が上部よりも下部
側が広くなっている。しかも、遮光スクリーン１８と窓５又は窓ガラス６との間に側方に
開放する空間が形成されていると共に、遮光スクリーン１８と窓枠４の上フレーム７との
間に間隙が形成されている。
【００３２】
このため、遮光スクリーン１８が太陽光により加熱されて、窓５又は窓ガラス６との間
の空気の温度が上昇しても、温度の高くなった空気は遮光スクリーン１８と窓枠４の上フ
レーム７との間に間隙から上方に逃げることができる。しかも側方から新鮮な空気が窓５
又は窓ガラス６との間に流れることができるので、熱気が遮光スクリーン１８と窓５との
間の空間に滞留するのを防止できる。
【００３３】
このように遮光スクリーン１８と窓５又は窓ガラス６との間の空間は側方及び上方への
通風性が良いので、熱気が遮光スクリーン１８と窓５との間の空間に滞留するのを防止で
きる。
【００３４】
しかも、このように遮光スクリーン１８を下部に向かうに従って窓（窓開口）５から外
側に離れるように傾斜させて、遮光スクリーン１８と窓５との間の空間を上部よりも下部
側が広くなるようにすることで、遮光スクリーン１８と窓５との間の空間の側方からこの
空間への通風性が良くなるので、窓ガラス６を開けておけば、遮光スクリーン１８と窓５
との間の空間の側方からこの空間に流れる風が窓５を介して建物１内に流れやすくなり、
建物１内への通風性も良くなる。
【００３５】
このように遮光スクリーン１８と窓５との間の空間を上部よりも下部側が広くなるよう
にすることで、温度の低い下部側の空気が上部側の温度の高い空気よりも多く流れるので
、建物１内には温度の低い下部側の空気が多く流れることになり、より効果的に涼風感を
得ることができる。
【００３６】
上述のように遮光装置１６を使用する場合、ロール１７及び係止バー１９を上フック１
０，１０及び下フック１４，１４に単に係止させるのみでよいので、遮光装置１６の窓枠
４への装着作業性が良い。
【００３７】
しかも、遮光装置１６を窓枠４に対して簡易に着脱できるので、柄、模様、色等が異な
るデザイン化された遮光スクリーン１８を多数用意しておいて、毎年又は毎月若しくは毎
週、異なるデザインの遮光スクリーン１８を好みに応じて簡易に選択して使用することが
できる。
【００３８】
また、遮光装置１６は遮光スクリーン１８をロール１７に自動的に巻き取る巻取機構が
ないので、構造が簡単で安価である。
【００３９】
そして、冬季等に遮光装置１６が不要のときには、上述とは逆に作業して遮光装置１６
を窓枠４から取り外して物置等に収納しておけばよい。
【００４０】
尚、上フック１０，１０及び下フック１４，１４は取り外すことなくそのままの状態に
してあるので、遮光装置１６を再度使用したい場合でも、遮光装置１６を窓枠４に直ちに
装着できる。
【００４１】
以上説明したように、この発明の実施の形態の窓用遮光装置には、窓枠４の上端部の屋
外両側部に上係止部材（上フック１０，１０）がそれぞれ取り付けられ、遮光スクリーン
１８が捲回されたロール１７の両端部が前記一対の上係止部材（上フック１０，１０）に
回転自在に係止させられていると共に、前記窓枠４の下部又は下端部に前記ロール１７か
ら引き出された遮光スクリーン１８の下端部を係止させる下係止部材（下フック１４）が
設けられている。
【００４２】
この構成によれば、窓５から建物内に入射する太陽光を安価で簡易な構成により遮光で
きる。
【００４３】
また、この発明の実施の形態の窓用遮光装置の前記係止部材は係止孔（１３，１３）を
有する上フック１０，１０であり、前記ロール１７の両端は係止孔１３，１３）に挿入係
止されている。
【００４４】
この構成によれば、ロール１７の係止のための構成が簡単である。
【００４５】
更に、この発明の実施の形態の窓用遮光装置の前記下係止部材（下フック１４）は外壁
面１ａに対して垂直な面内を上下回動可能に前記窓枠４の下端部に取り付けられ、前記遮
光スクリーン１８は前記下係止部材（下フック１４）の自重で張設されている。
【００４６】
この構成によれば、遮光スクリーン１８を張設するための特別の機械的な機構が必要が
ないので、遮光スクリーン１８の張設のための構成が簡単となる。
【００４７】
また、この発明の遮光装置が適用される建物１としては、住宅や倉庫、或いは集合住宅
等その他いずれであっても良い。
【００４８】
以上、図面を参照して、本発明の実施の形態及び実施例を詳述してきたが、具体的な構
成は、この実施の形態に限らず、本発明の要旨を逸脱しない程度の設計的変更は、本発明
に含まれる。
【図面の簡単な説明】
【００４９】
【図１】この発明に係る窓用遮光装置と窓との関係を示す概略斜視図である。
【図２】図１の遮光装置の取付部の要部を部分的に示した概略拡大斜視図である。
【図３】（ａ）〜（ｄ）は、図１，図２に示した窓用遮光装置の使用説明図である。
【符号の説明】
【００５０】
１…外壁
１ａ…外壁面
１０…上フック（上係止部材）
１６…遮光装置
１８…遮光スクリーン
１７…ロール
１４…下フック（下係止部材）
５…窓
１３…係止孔
【図１】
2005194848.tif 000003
【図２】
2005194848.tif 000004
【図３】
2005194848.tif 000005